【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
（a）重合したアクリレート基またはメタクリレート基を含む1種または複数種の第一モノマーサブユニットであって、少なくとも1つの側基が、（i）アリールオキシ部分と、（ii）該重合したアクリレート基またはメタクリレート基に該アリールオキシ部分を結合させる脂肪族炭素部分であって、少なくとも1つのヒドロキシル置換基を含む脂肪族炭素部分と、を含む、第一モノマーサブユニット、ならびに
（b）重合したアクリレート基またはメタクリレート基を含み、かつ、少なくとも1つのアルコキシアルキル側基を含む、第一モノマーサブユニットとは異なる1種または複数種の第二モノマーサブユニット、
（c）重合したアクリレート基またはメタクリレート基を含み、かつ、少なくとも1つのアルキレンオキシド側基を含む、第一および第二モノマーサブユニットとは異なる1種または複数種の第三モノマーサブユニット
を含む少なくとも1種のコポリマーを含む組成物であって、
第一モノマーサブユニットが第二モノマーサブユニットよりも大きい重量で存在し、かつ、第一および第二モノマーサブユニットが、合わせて、モノマーサブユニット組成物の約75重量パーセントまたはそれ以上を構成している、組成物。
【請求項２】
コポリマーが、架橋されたサブユニットであるモノマーサブユニットをさらに含む、請求項1記載の組成物。
【請求項３】
第一モノマーサブユニットが、重合したアクリレート基を含む、請求項1〜2のいずれか一項記載の組成物。
【請求項４】
アリールオキシ基がフェノキシ基、好ましくは未置換のフェノキシ基を含む、請求項1〜3のいずれか一項記載の組成物。
【請求項５】
第一モノマーサブユニットの脂肪族炭素部分が1つのヒドロキシル基で置換されている、請求項1〜4のいずれか一項記載の組成物。
【請求項６】
第一モノマーサブユニットの脂肪族炭素部分がC3部分であり、好ましくは-CH2-CHOH-CH2-によって表される、請求項1〜5のいずれか一項記載の組成物。
【請求項７】
アルコキシアルキル基がC3〜C12基である、請求項1〜6のいずれか一項記載の組成物。
【請求項８】
第一モノマーサブユニットがコポリマー組成物の約50重量%〜約80重量%であり、第二モノマーサブユニットがコポリマー組成物の約20重量%〜約35重量%であり、かつ、第三モノマーサブユニットがコポリマー組成物の約5重量%〜約15重量%である、請求項1〜7のいずれか一項記載の組成物。
【請求項９】
コポリマーが、トリメタクリレート架橋剤の架橋サブユニットであるモノマーサブユニットをさらに含む、請求項1〜8のいずれか一項記載の組成物。
【請求項１０】
アルキレンオキシド側基がポリ（アルキレンオキシド）側基、好ましくはポリ（エチレンオキシド）側基である、請求項1〜9のいずれか一項記載の組成物。
【請求項１１】
アルキレンオキシド側基の分子量が100 g/mol〜2,000 g/mol、好ましくは100 g/mol〜1,000 g/mol、より好ましくは100 g/mol〜500 g/molである、請求項1〜10のいずれか一項記載の組成物。
【請求項１２】
コポリマーのガラス転移温度が35℃未満、好ましくは約-5℃〜約5℃である、請求項1〜11のいずれか一項記載の組成物。
【請求項１３】
コポリマーの平衡含水率が約5重量%またはそれ以下である、請求項1〜12のいずれか一項記載の組成物。
【請求項１４】
SI値が800未満である、請求項1〜13のいずれか一項記載の組成物。
【請求項１５】
以下の段階を含む、モノマーサブユニットを含む少なくとも1種のコポリマーを含む組成物を作製するための方法：
（a）重合可能なアクリレート基またはメタクリレート基を含む1種または複数種の第一モノマーであって、少なくとも1つの側基が、（i）アリールオキシ部分と、（ii）該重合可能なアクリレート基またはメタクリレート基に該アリールオキシ部分を結合させる脂肪族炭素部分であって、少なくとも1つのヒドロキシル置換基を含む脂肪族炭素部分と、を含む、第一モノマー、ならびに
（b）重合可能なアクリレート基またはメタクリレート基を含み、かつ、少なくとも1つのアルコキシアルキル側基を含む、第一モノマーとは異なる1種または複数種の第二モノマー、
（c）重合可能なアクリレート基またはメタクリレート基を含み、かつ、少なくとも1つのアルキレンオキシド側基を含む、第一および第二モノマーとは異なる1種または複数種の第三モノマー
を含むコモノマー混合物を調製する段階であって、
第一モノマーが第二モノマーよりも大きい重量で存在し、かつ、第一および第二モノマーが、合わせて、モノマーの少なくとも約75重量パーセントまたはそれ以上を構成している、コモノマー混合物を調製する段階；
該コモノマー混合物を重合させる段階。
【請求項１６】
請求項1〜14のいずれか一項記載の組成物からなる眼内レンズ。
【請求項１７】
1 mmまでの中央部の厚さを有し、かつ、温度36℃の生理食塩水中に置かれたときに1分未満または約1分で展開し、好ましくは5〜10秒で展開する、請求項16記載の眼内レンズ。
【請求項１８】
以下の1つまたは複数を特徴とする、請求項16〜17のいずれか一項記載の眼内レンズ：
・第一モノマーサブユニットの側基が-CH2-CHOH-CH2-OPhを含み、式中、OPhは未置換のフェノキシ基である；
・アルコキシアルキル基が単一の酸素原子を含み、好ましくは2-エトキシエチルである；
・第三モノマーサブユニットが、ポリエチレングリコールの分子量が約150 g/mol〜250 g/molまたは約350 g/mol〜450 g/molである、重合したポリエチレングリコールモノメチルエーテルメタクリレートからなる；
・コポリマーの平衡含水率が約4重量%またはそれ以下である；
・SI値が750未満である；
・第一モノマーサブユニットが、重合した2-ヒドロキシ-3-フェノキシプロピルアクリレートを含み、かつ、第二モノマーが2-エトキシエチルメタクリレートである。
【手続補正２】
【補正対象書類名】明細書
【補正対象項目名】００１８
【補正方法】変更
【補正の内容】
【００１８】
少なくとも1つの態様に関するさらに別の利点は、1.8 mmまたはそれ以下のMedicelインジェクターなどの、オリフィスの小さなインジェクターを通過できる、高ジオプトリーのIOLである。
[本発明1001]
（a）重合したアクリレート基またはメタクリレート基を含む1種または複数種の第一モノマーサブユニットであって、少なくとも1つの側基が、（i）アリールオキシ部分と、（ii）該重合したアクリレート基またはメタクリレート基に該アリールオキシ部分を結合させる脂肪族炭素部分であって、少なくとも1つのヒドロキシル置換基を含む脂肪族炭素部分と、を含む、第一モノマーサブユニット、ならびに
（b）重合したアクリレート基またはメタクリレート基を含み、かつ、少なくとも1つのアルコキシアルキル側基を含む、第一モノマーサブユニットとは異なる1種または複数種の第二モノマーサブユニット、
（c）重合したアクリレート基またはメタクリレート基を含み、かつ、少なくとも1つのアルキレンオキシド側基を含む、第一および第二モノマーサブユニットとは異なる1種または複数種の第三モノマーサブユニット
を含む少なくとも1種のコポリマーを含む眼内レンズであって、
第一モノマーサブユニットが第二モノマーサブユニットよりも大きい重量で存在し、かつ、第一および第二モノマーサブユニットが、合わせて、モノマーサブユニット組成物の約75重量パーセントまたはそれ以上を構成している、眼内レンズ。
[本発明1002]
コポリマーが、架橋されたサブユニットであるモノマーサブユニットをさらに含む、本発明1001の眼内レンズ。
[本発明1003]
第一モノマーサブユニットが、重合したアクリレート基を含む、本発明1001の眼内レンズ。
[本発明1004]
アリールオキシ基がフェノキシ基を含む、本発明1001の眼内レンズ。
[本発明1005]
アリールオキシ基が未置換のフェノキシ基を含む、本発明1001の眼内レンズ。
[本発明1006]
第一モノマーサブユニットの脂肪族炭素部分が1つのヒドロキシル基で置換されている、本発明1001の眼内レンズ。
[本発明1007]
第一モノマーサブユニットの脂肪族炭素部分がC3部分である、本発明1001の眼内レンズ。
[本発明1008]
第一モノマーサブユニットの脂肪族炭素部分が-CH2-CHOH-CH2-によって表される、本発明1001の眼内レンズ。
[本発明1009]
第一モノマーサブユニットの側基が-CH2-CHOH-CH2-OPhを含む、眼内レンズであって、式中、OPhは未置換のフェノキシ基である、本発明1001の眼内レンズ。
[本発明1010]
アルコキシアルキル基がC3〜C12基である、本発明1001の眼内レンズ。
[本発明1011]
アルコキシアルキル基が、単一の酸素原子を含む、本発明1001の眼内レンズ。
[本発明1012]
アルコキシアルキル基が2-エトキシエチルである、本発明1001の眼内レンズ。
[本発明1013]
アルキレンオキシド側基がポリ（アルキレンオキシド）側基である、本発明1001の眼内レンズ。
[本発明1014]
アルキレンオキシド側基の分子量が100 g/mol〜2,000 g/molである、本発明1001の眼内レンズ。
[本発明1015]
アルキレンオキシド側基の分子量が100 g/mol〜1,000 g/molである、本発明1001の眼内レンズ。
[本発明1016]
アルキレンオキシド側基の分子量が100 g/mol〜500 g/molである、本発明1001の眼内レンズ。
[本発明1017]
アルキレンオキシド側基がポリ（エチレンオキシド）側基である、本発明1001の眼内レンズ。
[本発明1018]
第三モノマーサブユニットが、約150 g/mol〜250 g/molのポリエチレングリコールの分子量を有する、重合したポリエチレングリコールモノメチルエーテルメタクリレートからなる、本発明1001の眼内レンズ。
[本発明1019]
第三モノマーサブユニットが、約350 g/mol〜450 g/molのポリエチレングリコールの分子量を有する、重合したポリエチレングリコールモノメチルエーテルメタクリレートからなる、本発明1001の眼内レンズ。
[本発明1020]
第一モノマーサブユニットが、重合した2-ヒドロキシ-3-フェノキシプロピルアクリレートを含み、かつ、第二モノマーが2-エトキシエチルメタクリレートである、本発明1001の眼内レンズ。
[本発明1021]
第一モノマーサブユニットがコポリマー組成物の約50重量%〜約80重量%であり、第二モノマーサブユニットがコポリマー組成物の約20重量%〜約35重量%であり、かつ、第三モノマーサブユニットがコポリマー組成物の約5重量%〜約15重量%である、本発明1001の眼内レンズ。
[本発明1022]
コポリマーが、トリメタクリレート架橋剤の架橋サブユニットであるモノマーサブユニットをさらに含む、本発明1001の眼内レンズ。
[本発明1023]
コポリマーのガラス転移温度が35℃未満である、本発明1001の眼内レンズ。
[本発明1024]
コポリマーのガラス転移温度が約-5℃〜約5℃である、本発明1001の眼内レンズ。
[本発明1025]
コポリマーの平衡含水率が約5重量%またはそれ以下である、本発明1001の眼内レンズ。
[本発明1026]
コポリマーの平衡含水率が約4重量%またはそれ以下である、本発明1001の眼内レンズ。
[本発明1027]
1 mmまでの中央部の厚さを有し、かつ、温度36℃の生理食塩水中に置かれたときに1分未満または約1分で展開する、本発明1001の眼内レンズ。
[本発明1028]
1 mmまでの中央部の厚さを有し、かつ、5〜10秒で展開する、本発明1001の眼内レンズ。
[本発明1029]
SI値が800未満である、本発明1001の眼内レンズ。
[本発明1030]
SI値が750未満である、本発明1001の眼内レンズ。
[本発明1031]
（a）重合したアクリレート基またはメタクリレート基を含む1種または複数種の第一モノマーサブユニットであって、少なくとも1つの側基が、（i）アリールオキシ部分と、（ii）該重合したアクリレート基またはメタクリレート基に該アリールオキシ部分を結合させる脂肪族炭素部分であって、少なくとも1つのヒドロキシル置換基を含む脂肪族炭素部分と、を含む、第一モノマーサブユニット、ならびに
（b）重合したアクリレート基またはメタクリレート基を含み、かつ、少なくとも1つのアルコキシアルキル側基を含む、第一モノマーサブユニットとは異なる1種または複数種の第二モノマーサブユニット、
（c）重合したアクリレート基またはメタクリレート基を含み、かつ、少なくとも1つのアルキレンオキシド側基を含む、第一および第二モノマーサブユニットとは異なる1種または複数種の第三モノマーサブユニット
を含む少なくとも1種のコポリマーを含む組成物であって、
第一モノマーサブユニットが第二モノマーサブユニットよりも大きい重量で存在し、かつ、第一および第二モノマーサブユニットが、合わせて、モノマーサブユニット組成物の約75重量パーセントまたはそれ以上を構成している、組成物。
[本発明1032]
コポリマーが、架橋されたサブユニットであるモノマーサブユニットをさらに含む、本発明1031の組成物。
[本発明1033]
第一モノマーサブユニットが、重合したアクリレート基を含む、本発明1031の組成物。
[本発明1034]
アリールオキシ基がフェノキシ基を含む、本発明1031の組成物。
[本発明1035]
アリールオキシ基が未置換のフェノキシ基を含む、本発明1031の組成物。
[本発明1036]
第一モノマーサブユニットの脂肪族炭素部分が1つのヒドロキシル基で置換されている、本発明1031の組成物。
[本発明1037]
第一モノマーサブユニットの脂肪族炭素部分がC3部分である、本発明1031の組成物。
[本発明1038]
第一モノマーサブユニットの脂肪族炭素部分が-CH2-CHOH-CH2-によって表される、本発明1031の組成物。
[本発明1039]
アルコキシアルキル基がC3〜C12基である、本発明1031の組成物。
[本発明1040]
第一モノマーサブユニットがコポリマー組成物の約50重量%〜約80重量%であり、第二モノマーサブユニットがコポリマー組成物の約20重量%〜約35重量%であり、かつ、第三モノマーサブユニットがコポリマー組成物の約5重量%〜約15重量%である、本発明1031の組成物。
[本発明1041]
コポリマーが、トリメタクリレート架橋剤の架橋サブユニットであるモノマーサブユニットをさらに含む、本発明1031の組成物。
[本発明1042]
アルキレンオキシド側基がポリ（アルキレンオキシド）側基である、本発明1031の組成物。
[本発明1043]
アルキレンオキシド側基の分子量が100 g/mol〜2,000 g/molである、本発明1031の組成物。
[本発明1044]
アルキレンオキシド側基の分子量が100 g/mol〜1,000 g/molである、本発明1031の組成物。
[本発明1045]
アルキレンオキシド側基の分子量が100 g/mol〜500 g/molである、本発明1031の組成物。
[本発明1046]
アルキレンオキシド側基がポリ（エチレンオキシド）側基である、本発明1031の組成物。
[本発明1047]
コポリマーのガラス転移温度が35℃未満である、本発明1031の組成物。
[本発明1048]
コポリマーのガラス転移温度が約-5℃〜約5℃である、本発明1031の組成物。
[本発明1049]
コポリマーの平衡含水率が約5重量%またはそれ以下である、本発明1031の組成物。
[本発明1050]
SI値が800未満である、本発明1031の組成物。
[本発明1051]
以下の段階を含む、モノマーサブユニットを含む少なくとも1種のコポリマーを含む組成物を作製するための方法：
（a）重合可能なアクリレート基またはメタクリレート基を含む1種または複数種の第一モノマーであって、少なくとも1つの側基が、（i）アリールオキシ部分と、（ii）該重合可能なアクリレート基またはメタクリレート基に該アリールオキシ部分を結合させる脂肪族炭素部分であって、少なくとも1つのヒドロキシル置換基を含む脂肪族炭素部分と、を含む、第一モノマー、ならびに
（b）重合可能なアクリレート基またはメタクリレート基を含み、かつ、少なくとも1つのアルコキシアルキル側基を含む、第一モノマーとは異なる1種または複数種の第二モノマー、
（c）重合可能なアクリレート基またはメタクリレート基を含み、かつ、少なくとも1つのアルキレンオキシド側基を含む、第一および第二モノマーとは異なる1種または複数種の第三モノマー
を含むコモノマー混合物を調製する段階であって、
第一モノマーが第二モノマーよりも大きい重量で存在し、かつ、第一および第二モノマーが、合わせて、モノマーの少なくとも約75重量パーセントまたはそれ以上を構成している、コモノマー混合物を調製する段階；
該コモノマー混合物を重合させる段階。
[本発明1052]
（a）重合したアクリレート基またはメタクリレート基から本質的になる1種または複数種の第一モノマーサブユニットであって、少なくとも1つの側基が、（i）アリールオキシ部分と、（ii）該重合したアクリレート基またはメタクリレート基に該アリールオキシ部分を結合させる脂肪族炭素部分であって、少なくとも1つのヒドロキシル置換基から本質的になる脂肪族炭素部分と、を含む、第一モノマーサブユニット、ならびに
（b）重合したアクリレート基またはメタクリレート基から本質的になり、かつ、少なくとも1つのアルコキシアルキル側基から本質的になる、第一モノマーサブユニットとは異なる1種または複数種の第二モノマーサブユニット、
（c）重合したアクリレート基および／またはメタクリレート基から本質的になり、かつ、少なくとも1つのアルキレンオキシド側基から本質的になる、第一および第二モノマーサブユニットとは異なる1種または複数種の第三モノマーサブユニット、
（d）架橋されたサブユニットである、第一、第二、および第三モノマーサブユニットとは異なる1種または複数種の第四モノマーサブユニット
から本質的になる少なくとも1種のコポリマーを含む眼内レンズであって、
第一モノマーサブユニットが第二モノマーサブユニットよりも大きい重量で存在し、かつ、第一および第二モノマーサブユニットが、合わせて、モノマーサブユニット組成物の約75重量パーセントまたはそれ以上を本質的になす、眼内レンズ。
[本発明1053]
（a）重合可能なアクリレート基またはメタクリレート基を含む1種または複数種の第一モノマーであって、少なくとも1つの側基が、（i）アリールオキシ部分と、（ii）該重合可能なアクリレート基またはメタクリレート基に該アリールオキシ部分を結合させる脂肪族炭素部分であって、少なくとも1つのヒドロキシル置換基を含む脂肪族炭素部分と、を含む、第一モノマー、ならびに
（b）重合可能なアクリレート基またはメタクリレート基を含み、かつ、少なくとも1つのアルコキシアルキル側基を含む、第一モノマーとは異なる1種または複数種の第二モノマー、
（c）重合可能なアクリレート基またはメタクリレート基を含み、かつ、少なくとも1つのアルキレンオキシド側基を含む、第一および第二モノマーとは異なる1種または複数種の第三モノマー
を含むコモノマー混合物を含む組成物であって、
第一モノマーが第二モノマーよりも大きい重量で存在し、かつ、第一および第二モノマーが、合わせて、モノマーの約75重量パーセントまたはそれ以上を構成している、組成物。